(57)【特許請求の範囲】
【請求項１】
番組ガイド情報信号に基づくかつ文字を含む番組ガイド情報映像と番組映像信号に基づく番組映像とをモニタ画面に表示する表示制御装置において、
前記番組ガイド情報映像および前記番組映像の表示態様として第１態様および第２態様の一方を任意に選択する選択手段、
前記選択手段によって選択された表示態様に適合するように前記番組ガイド情報信号および前記番組映像信号を互いに合成する合成手段、および
前記選択手段によって選択された表示態様に応じて前記番組ガイド情報信号の情報量を変更する変更手段を備え、
前記第１態様は圧縮状態の番組ガイド情報映像と圧縮状態の番組映像とを互いに並べる態様であり、
前記第２態様は非圧縮状態の番組ガイド情報映像を非圧縮状態の番組映像の上に表示する態様であり、
前記変更手段は前記第１態様が選択されたときの情報量を前記第２態様が選択されたときよりも少なくすることを特徴とする、表示制御装置。
【請求項２】
請求項１記載の表示制御装置を備える、テレビジョン受像機。
【発明の詳細な説明】
【０００１】
【産業上の利用分野】
この発明は表示制御装置に関し、特にたとえばディジタル放送受信機に適用され、番組ガイドのキャラクタデータを映像モニタに出力する、表示制御装置に関する。
【０００２】
【従来の技術】
従来のこの種の表示制御装置では、映像モニタに表示される番組ガイドのチャネル数および時間は、常に一定であった。つまり、映像モニタの画面サイズに関係なく、常に同一の番組ガイドビットマップデータが映像モニタに出力されていた。
【０００３】
【発明が解決しようとする課題】
しかし、映像モニタの画面サイズが小さいと、表示される番組ガイドも小さくなり、文字が見にくくなるという問題があった。
それゆえに、この発明の主たる目的は、映像モニタの画面サイズに関係なく番組ガイドを見やすく表示できる、表示制御装置を提供することである。
【０００４】
【課題を解決するための手段】
この発明によれば、番組ガイド情報信号に基づくかつ文字を含む番組ガイド情報映像と番組映像信号に基づく番組映像とをモニタ画面に表示する表示制御装置は、番組ガイド情報映像および番組映像の表示態様として第１態様および第２態様の一方を任意に選択する選択手段、選択手段によって選択された表示態様に適合するように番組ガイド情報信号および番組映像信号を互いに合成する合成手段、および選択手段によって選択された表示態様に応じて番組ガイド情報信号の情報量を変更する変更手段を備え、第１態様は圧縮状態の番組ガイド情報映像と圧縮状態の番組映像とを互いに並べる態様であり、第２態様は非圧縮状態の番組ガイド情報映像を非圧縮状態の番組映像の上に表示する態様であり、変更手段は第１態様が選択されたときの情報量を第２態様が選択されたときよりも少なくすることを特徴とする。
【０００６】
【作用】
選択手段によって第１態様および第２態様の一方が表示態様として選択されると、合成手段は、選択された表示態様に適合するように番組ガイド情報信号および番組映像信号を互いに合成する。また、変更手段は、番組ガイド情報信号の情報量を選択された表示態様に応じて変更する。モニタ画面には、選択された表示態様に応じた情報量を有する番組ガイド情報映像と番組映像とが、選択された表示態様で表示される。ここで、第１態様は圧縮状態の番組ガイド情報映像と圧縮状態の番組映像とを互いに並べる態様であり、第２態様は非圧縮状態の番組ガイド情報映像を非圧縮状態の番組映像の上に表示する態様である。また、変更手段は、第１態様が選択されたときの情報量を第２態様が選択されたときよりも少なくする。
【０００８】
【発明の効果】
この発明によれば、番組ガイド情報信号の情報量を表示態様に応じて変更するようにしたため、表示態様に関係なく番組ガイド情報映像を見やすく表示できる。
【０００９】
この発明の上述の目的，その他の目的，特徴および利点は、図面を参照して行う以下の実施例の詳細な説明から一層明らかとなろう。
【００１０】
【実施例】
図１を参照して、この実施例のディジタル放送受信機１０はセットトップボックス型の受信機であり、通信衛星から送られてきたディジタル放送信号が、アンテナ１２を介してＣＳチューナ１４に与えられる。ＣＳチューナ１４は所望のトランスポンダから出力された４〜８チャネル分の放送データを選択する。つまり、ＣＳ放送では、１つのトランスポンダから４〜８チャネル分の放送データが出力されるため、ＣＳチューナ１４は、所望のチャネルを含むトランスポンダを選択する。選択された放送データはＱＰＳＫ復調回路１６で復調され、４〜８チャネル分の複数のトランスポートパケットからなるトランスポートストリームとなる。
【００１１】
パケット分離回路１８は、所望のチャネルの映像成分を含むパケットを検出し、ＭＰＥＧデコーダ２０に与える。ＭＰＥＧデコーダ２０は、入力されたパケットをデコードし、デコードされた映像データを画像合成回路３４に与える。画像合成回路３４はまた、オンスクリーン表示用のＩＣ３２から出力されたオンスクリーン表示用のビットマップデータ（キャラクタデータ）を受ける。画像合成回路３４は具体的にはディジタルスイッチであり、ＣＰＵ２２からの制御信号に応じて映像データおよびビットマップデータの一方を選択する。画像合成回路３４からの出力データは、ＮＴＳＣエンコーダ３６によってＮＴＳＣフォーマットのコンポジット映像信号（アナログ信号）に変換され、このコンポジット映像信号が、図示しないテレビジョン受像機に出力される。
【００１２】
トランスポートパケットの一部にはＰＳＩ（Ｐｒｏｇｒａｍ  Ｓｐｅｃｉｆｉｃ  Ｉｎｆｏｒｍａｔｉｏｎ）  が割り当てられており、ＰＳＩにはＥＩＴ（Ｅｖｅｎｔ  Ｉｎｆｏｒｍａｔｉｏｎ  Ｔａｂｌｅ）が含まれている。ＣＰＵ２２は、このＥＩＴを参照して、トランスポートパケットから現チャネルを含む９チャネルの９時間分のＥＰＧデータを抽出し、ＤＲＡＭ３４に格納する。オペレータが図２に示すリモコン送信機３０に設けられたＥＰＧボタン３０ａを操作すると、ＣＰＵ２２はＤＲＡＭ２４から所定チャネルの所定時間分のＥＰＧデータを読み出し、ビットマップＲＯＭ２６を用いて所定時間および所定チャネル分の番組ガイドのビットマップデータを生成する。番組ガイドビットマップデータはＤＲＡＭ２８に展開される。
【００１３】
ＣＰＵ２２はまた、ＩＣ３２に読出指令を与え、これによってＩＣ３２は、垂直同期信号に応答してＤＲＡＭ２８から番組ガイドビットマップデータを読み出す。読み出された番組ガイドビットマップデータは画像合成回路３４に与えられる。ＣＰＵ２２はさらに、ＥＰＧボタン３０ａの操作に応答して、番組ガイドの表示エリアを示すウインドウ信号を画像合成回路３４に与える。画像合成回路３４は、ウインドウ信号がローレベルの期間、ＭＰＥＧデコーダデータ２０からの映像データを選択し、ウインドウ信号がハイレベルの期間、ＩＣ３２からのビットマップデータを選択する。これによって、映像データと番組ガイドビットマップデータとが合成される。
【００１４】
オペレータがリモコン送信機３０に設けられたかつ番組ガイドの表示態様を設定する設定ボタン３０ｂを押せば、ＣＰＵ２２は、ＤＲＡＭ２４から設定メニューデータを読み出し、ビットマップＲＯＭ２６を用いて、設定メニュービットマップデータをＤＲＡＭ２８に展開する。ＣＰＵ２２はまた、ＩＣ３０に読出指令を与えるとともに、画像合成回路３４に設定メニューの表示エリアを示すウインドウ信号を与える。したがって、テレビジョン受像機の映像モニタには図３に示すような設定メニューが表示される。
【００１５】
カーソルは当初“対角線長”の項目を指しており、このとき選択キー３０ｆが押されると、図４に示すように、表示されているインチ数データの上下に矢印が表示されるとともに、このインチ数データを覆うように新たなカーソルが表示される。オペレータがカーソルキー３０ｃまたは３０ｄを操作すれば、数値がインクリメントあるいはディクリメントされる。モニタ画面のインチ数と同じ数値が表示されたときにオペレータが決定キー３０ｅを押せば、その数値データがＤＲＡＭ２４に保持され、画面の表示内容は図３に戻る。
【００１６】
オペレータがカーソルを“アスペクト比”に移動させ、選択キー３０ｆを押すと、図５に示すように２つのアスペクト比データが表示される。“ノーマル”はアスペクト比４：３を意味し、“ワイド”はアスペクト比１６：９を意味する。カーソルは“ノーマル”および“ワイド”の一方を指し、オペレータがカーソルキー３０ｃまたは３０ｄを操作することによって、このカーソルが移動する。モニタ画面のアスペクト比と同じデータをカーソルが指しているときに選択キー３２ｆが押されると、このアスペクト比データがＤＲＡＭ２４に保持される。
【００１７】
ＣＰＵ２２は、このようにして選択された対角線長データおよびアスペクト比データに従って、ＶＲＡＭ２８に展開される番組ガイドビットマップデータの情報量およびフォントを決定する。モニタ画面のアスペクト比が４：３で対角線長が１９インチ未満であれば、ＣＰＵ２２は図６に示すような４チャネル×５時間分の番組ガイドビットマップデータをＶＲＡＭ２８に展開し、フォントサイズおよびフォント形状を“大”および“標準”とする。モニタ画面のアスペクト比が４：３でかつ対角線長が１９インチ以上であれば、ＣＰＵ２２は図７に示すような５チャネル×６時間分の番組ガイドビットマップデータをＶＲＡＭ２８に展開し、フォントサイズおよびフォント形状をそれぞれ“小”および“標準”とする。モニタ画面のアスペクト比が１６：９でかつ対角線長が２５インチ未満であれば、ＣＰＵ２２は図８に示すような５チャネル×５時間分の番組ガイドビットマップデータをＶＲＡＭ２８に展開し、フォントサイズおよびフォント形状のそれぞれを“大”および“縦長”とする。モニタ画面のアスペクト比が１６：９でかつ対角線長が２５インチ以上であれば、ＣＰＵ２２は図９に示すような６チャネル×６時間分の番組ガイドビットマップデータをＶＲＡＭ２８に展開し、フォントサイズおよびフォント形状を“小”および“縦長”とする。
【００１８】
したがって、４：３のアスペクト比を持つ１４インチのテレビジョン受像機がこの実施例のディジタル放送受信機１０に接続される場合、番組ガイドは図１０に示すように表示される。一方、４：３のアスペクト比を持つ２８インチのテレビジョン受像機がこの実施例のディジタル放送受信機１０に接続されている場合、図１１に示すように番組ガイドが表示される。図１０および１１を比較してわかるように、モニタ画面において番組ガイドが占める比率はいずれも同一であるのに対し、表示される情報量つまり表示されるチャネル数および時間は、各画面サイズが小さくなるほど少なくなり、また、フォントサイズは画面サイズが小さくなるほど大きくなる。したがって、画面サイズつまり番組ガイドの表示エリアサイズに関係なく、番組ガイドを見やすく表示できる。
【００１９】
ＣＰＵ２２は、具体的には図１２〜１４に示すフロー図を処理する。つまり、オペレータによって設定ボタン３０ｂが押されると、ＣＰＵ２２は図１２および図１３に示す割込ルーチンを処理し、オペレータによってＥＰＧボタン３０ａが押されると、ＣＰＵ２２は図１４に示す割込ルーチンを処理する。
まず、図１２を参照して、設定ボタン３０ｂが押されると、ＣＰＵ２２はステップＳ１で図３に示す設定メニューを表示し、次にステップＳ３で“対角線長”の項目が選択されたかどうか判断する。ここで“ＹＥＳ”であれば、つまりカーソルが“対角線長”にセットされかつ選択ボタン３０ｆが押されれば、ＣＰＵ２２はステップＳ５で、図４に示すように上向きおよび下向きの矢印を表示する。続いて、ステップＳ７でカーソルキー３０ａまたは３０ｂが操作されたかどうか判断し、“ＹＥＳ”であればステップＳ９でインチ数データを切り換える。カーソルキー３０ｆが押されたときは数値をインクリメントし、カーソルキー３９ｂが押されたときは数値をディクリメントする。ステップＳ７で“ＮＯ”であれば、ステップＳ１１で決定キーで操作されたかどうか判断し、“ＮＯ”であればステップＳ７に戻るが、“ＹＥＳ”であれば、ステップＳ１７で現在表示されている数値データ（対角線長データ）を保持し、ステップＳ３に戻る。なお、ステップＳ１３の終えた時点でモニタ画面の表示状態は図３に戻る。
【００２０】
ステップＳ３で“ＮＯ”であれば、ＣＰＵ２２はステップＳ１５で“アスペクト比”の項目が選択されたかどうか判断する。ここで“ＹＥＳ”であればステップＳ１７で図１５に示すように“ノーマル”および“ワイド”の項目を表示し、次にステップＳ１９でカーソルキー３０ａまたは３０ｂを操作されたかどうか判断する。ここで“ＹＥＳ”であれば、ステップＳ２１でカーソルを移動させステップＳ１９に戻るが“ＮＯ”であればステップＳ２３で決定キー３０ｅが操作されたかどうか判断する。そして、“ＮＯ”であればステップＳ１９に戻るが“ＹＥＳ”であればステップＳ２５で、カーソルが指しているアスペクト比データを保持し、ステップＳ３に戻る。ステップＳ２５が処理された時点で表示状態は図３に戻る。
【００２１】
ステップＳ１５で“ＮＯ”であれば、ＣＰＵ２２はステップＳ２７で終了キー３０ｇが押されたかどうか判断し、“ＮＯ”であればステップＳ３に戻るが、“ＹＥＳ”であればステップＳ２９で設定メニューの表示をＯＦＦし、ステップＳ３１に移行する。
ステップＳ３１では、ＣＰＵ２２は保持しているアスペクト比データが４：３であるかどうか判断する。ここで“ＹＥＳ”であれば、ステップＳ３３でＤＲＡＭ２４に保持されている対角線長データが１９インチ未満であるかどうか判断するが、“ＮＯ”であればステップＳ３９でこの対角線長データが２５インチ未満であるかどうか判断する。ステップＳ３３で“ＹＥＳ”と判断されると、ステップＳ３５で、表示する番組ガイドをタイプ１にセットし、“ＮＯ”であればステップＳ３７で表示する番組ガイドをタイプ２にセットする。また、ステップＳ３９で“ＹＥＳ”であれば、ステップＳ４１で表示する番組ガイドをタイプ３にセットし、ステップＳ３９で“ＮＯ”であれば、ステップＳ４３で表示する番組ガイドをタイプ４にセットする。
【００２２】
ここで、タイプ１とは、番組ガイドの情報量が４チャネル×５時間分でかつフォントサイズおよびフォント形状が“大”および“標準”となるタイプであり、タイプ２とは、情報量が５チャネル×６時間分でかつフォントサイズおよびフォント形状が“小”および“標準”となるタイプである。また、タイプ３とは情報量が５チャネル×５時間分でかつフォントサイズおよびフォント形状が“大”および“縦長”となるタイプであり、タイプ４とは、情報量が６チャネル×６時間分でかつフォントサイズおよびフォント形状が“小”および“縦長”となるタイプである。
【００２３】
なお、ステップＳ３５，Ｓ３７，Ｓ４１およびＳ４３では、ＣＰＵ２２はタイプデータを不揮発性ＲＡＭ２７に書き込む。また、すでにタイプデータが書き込まれている場合にはそのデータを更新する。そして、処理をリターンする。
オペレータがＥＰＧボタン３０ａを押すと、ＣＰＵ２２は図１２に示すフロー図の処理を開始する。つまり、まずステップＳ４５で、不揮発性ＲＡＭ２７からタイプデータを読み出し、次にステップＳ４７でタイプデータに対応する番組ガイドビットマップデータをＶＲＡＭ２８に展開する。そして、リターンする。
【００２４】
図１５を参照して、他の実施例のテレビジョン受像機６０は、ディジタル放送受信機１０を含む。このディジタル放送受信機１０は図１実施例とほぼ同様であるため、重複した説明を省略する。ＥＰＧデコーダから出力された映像データは、Ｄ／Ａ変換器４６によって映像信号（アナログ信号）に変換され、映像信号は画像圧縮回路５０ａで水平方向において１／２に圧縮される。また、ＩＣ３２から出力されたビットマップデータも、Ｄ／Ａ変換器４８によってビットマップ信号（アナログ信号）に変換され、そして、ビットマップ信号が画像圧縮回路５０ｂによって水平方向において１／２に圧縮される。さらに、アンテナ３８によって受信された地上波放送信号は地上波チューナ４０に与えられ、テレビマイコン４２からの選局信号に従って所望のチャネルの後送信号を選択する。地上波チューナ４０の出力は映像信号処理回路４４によって処理され、これによってベースバンドのコンポジット映像信号が得られる。そして、コンポジット映像信号が画像圧縮回路５０ｃによって水平方向において１／２に圧縮される。
【００２５】
画像圧縮回路５０ａ〜５０ｃはテレビマイコン５０ｃによって制御される。つまり、上述のような圧縮処理はテレビマイコン５０ｃから能動化信号が与えられているときに限り行われ、不能化信号が出力されれば、画像圧縮回路５０〜５０ｃは入力信号をそのまま出力する。画像合成回路３４は具体的にはアナログスイッチによって構成され、テレビマイコン４２からの制御信号に従って、画像圧縮回路５０ａ〜５０ｃの出力を選択する。画像合成回路３４からの出力はＣＲＴ５４に出力され、偏向回路５２がＣＲＴ５４に偏向をかけることによって、所望の映像がモニタ画面に表示される。
【００２６】
オペレータが図１６に示すリモコン送信機３０に設けられた２画面ボタン３０ｆを１回押すと、テレビマイコン４２は画像圧縮回路５０ａ〜５０ｃを能動化する。テレビマイコン４２はまた、画像圧縮回路５０ａおよび５０ｃの出力を１／２Ｈ毎に交互に選択するように、画像合成回路３４を制御する。これによって、モニタ画面には図１９に示すようにＣＳ放送および地上波放送の受信映像が表示される。オペレータが２画面ボタン３０ｆを再度押せば、２画面モードが解除される。つまり、画像圧縮回路５０ａ〜５０ｃが不能化され、画像合成回路３４は画像圧縮回路５０ａおよび５０ｃのいずれか一方の出力のみを選択する。したがって、モニタ画面には図１８に示すように地上波放送またはＣＳ放送の受信映像が表示される。
【００２７】
オペレータがリモコン送信機３０に設けられたかつ番組ガイドの表示モードを設定する設定ボタン３０ｂを操作すると、モニタ画面に図１７に示すような設定メニューが表示される。カーソルキー３０ｃまたは３０ｅのソースに応じて、カーソルが“する”および“しない”の項目を移動し、決定ボタン３０ｅが押されると、いずれかの表示モードが設定される。“する”が選択されると、圧縮表示モードが設定され、番組ガイドは水平方向に１／２に圧縮された状態で画面の１／２のエリアに表示される。
【００２８】
つまり、図１８に示すように単一の受信映像が表示されているときにＥＰＧボタン３０ａが押されると、図２０に示すように、圧縮された４チャネル×５時間分の番組ガイドならびに圧縮された受信映像が個別にかつ同時に表示される。このとき、画像圧縮回路５０ａ〜５０ｃは能動化され、画像合成回路３４は、画像圧縮回路５０ｂおよび５０ｃの出力を１／２Ｈ毎に交互に選択する。また、２画面モードにおいて図１９に示すように２つの受信映像が表示されているときにＥＰＧボタン３０ａが押されると、図２１に示すように、圧縮された４チャネル×５時間分の番組ガイドがＣＳ放送の受信映像の上に表示される。このとき画像合成回路３４は、番組ガイドの表示エリアに対応する期間だけ画像圧縮回路５０ｂを選択する。なお、２画面モードである限り、圧縮表示モードが設定されていなくても、図２１に示すように圧縮された番組ガイドが表示される。このように番組ガイドが圧縮される結果、フォントが縦長となる。
【００２９】
圧縮表示モードが設定されていなければ、つまり非圧縮表示モードであれば、モニタ画面に単一の受信映像が表示されている限り、番組ガイドは圧縮されることなくこのまま出力される。つまり、図１８に示すように単一の受信映像が表示されている状態でＥＰＧボタン３０ａが押されると、５チャネル×５時間分の番組ガイドが図２２に示すように画面中央にオンスクリーン表示される。このとき、画像圧縮回路５０ａ〜５０ｃはすべて不能化され、画像合成回路３４は番組ガイドの表示エリアに相当する期間だけ画像圧縮回路５０ｂの出力を選択する。
【００３０】
なお、この実施例では、モニタ画面のアスペクト比は４：３で、対角線長は２８インチであることを前提として説明している。このため、圧縮表示モードでは図６に示すようなタイプ１の番組ガイドがＶＲＡＭ２８に展開され、非圧縮表示モードでは図８に示すようなタイプ３の番組ガイドがＶＲＡＭ２８に展開される。
【００３１】
この実施例によれば、番組ガイドの表示エリアサイズに応じて番組ガイドの情報量およびフォントを変更するようにしたため、いずれの表示モードにおいても番組ガイドを見やすく表示できる。
テレビマイコン４２は、具体的には図２３および図２４に示すフロー図を処理する。設定ボタン３０ｂが押されると、ＣＰＵは図２３に示す割込ルーチンの処理を開始し、まずステップＳ５１で図１７に示す設定メニューを表示する。次にステップＳ５３でカーソルキー３０ｃまたは３０ｂが操作されたかどうか判断し、“ＹＥＳ”であればステップＳ５５でカーソルを移動させステップＳ５３に戻る。一方ステップＳ５３で“ＮＯ”であれば、ステップＳ５７で決定キー３０ｂが操作されたかどうか判断する。ここで、“ＮＯ”であればステップＳ５３に戻るが、“ＹＥＳ”であれば、ステップＳ５９で表示モードデータを不揮発性ＲＡＭ２７に書き込む。そして、リターンする。
【００３２】
ＥＰＧボタン３０ａが押されると、テレビマイコン４２は図２５に示す割込ルーチンの処理を開始し、まずステップＳ６１でモニタ画面に２つの受信映像が表示されているかどうか、つまり現在のモードが２画面モードであるかどうかを判断する。ここで“ＹＥＳ”であれば、ステップＳ６９でタイプ１の番組ガイドビットマップデータをＶＲＡＭ２８に展開するようにＣＰＵ２２に指令を出す。一方、ステップＳ６１で“ＮＯ”であれば、ステップＳ６３で不揮発性ＲＡＭ２７から表示モードデータを読み出し、ステップＳ６５で番組ガイドの表示モードが圧縮表示モードであるかどうか判断する。ここで“ＹＥＳ”であればステップＳ６９に進むが“ＮＯ”であればステップＳ６７でタイプ３の番組ガイドビットマップデータをＶＲＡＭ２８に展開するようにＣＰＵ２２に指令を出す。そして、処理を終了する。
【図面の簡単な説明】
【図１】この発明の一実施例を示すブロック図である。
【図２】リモコン送信機を示す図解図である。
【図３】設定メニューの表示状態の一例を示す図解図である。
【図４】設定メニューの表示状態の他の例を示す図解図である。
【図５】設定メニューの表示状態のその他の例を示す図解図である。
【図６】タイプ１の番組ガイドビットマップデータを示す図解図である。
【図７】タイプ２の番組ガイドビットマップデータを示す図解図である。
【図８】タイプ３の番組ガイドビットマップデータを示す図解図である。
【図９】タイプ４の番組ガイドビットマップデータを示す図解図である。
【図１０】モニタ画面に表示される番組ガイドの一例を示す図解図である。
【図１１】モニタ画面に表示される番組ガイドの他の例を示す図解図である。
【図１２】ＣＰＵの動作の一部を示すフロー図である。
【図１３】ＣＰＵの動作の他の一部を示すフロー図である。
【図１４】ＣＰＵの動作のその他の一部を示すフロー図である。
【図１５】この発明の他の実施例を示すブロック図である。
【図１６】リモコン送信機を示す図解図である。
【図１７】設定メニューの表示状態を示す図解図である。
【図１８】モニタ画面に表示される映像の一例を示す図解図である。
【図１９】モニタ画面に表示される映像の他の例を示す図解図である。
【図２０】モニタ画面に表示される映像の他の例を示す図解図である。
【図２１】モニタ画面に表示される映像の他の例を示す図解図である。
【図２２】モニタ画面に表示されるさらにその他の例を示す図解図である。
【図２３】テレビマイコンの動作の一部を示す図解図である。
【図２４】テレビマイコンの動作の他の一部を示すフロー図である。
【符号の説明】
１０  …ディジタル放送受信機
２２  …ＣＰＵ
２８  …ＶＲＡＭ
２０  …ＭＰＥＧデコーダ
３２  …ＩＣ
６０  …テレビジョン受像機
５０ａ〜５０ｃ…画像圧縮回路
３４  …画像合成回路
４２  …テレビマイコン
【図１】
0003588238.tif 000002
【図２】
0003588238.tif 000003
【図３】
0003588238.tif 000004
【図４】
0003588238.tif 000005
【図５】
0003588238.tif 000006
【図６】
0003588238.tif 000007
【図７】
0003588238.tif 000008
【図８】
0003588238.tif 000009
【図９】
0003588238.tif 000010
【図１０】
0003588238.tif 000011
【図１１】
0003588238.tif 000012
【図１２】
0003588238.tif 000013
【図１３】
0003588238.tif 000014
【図１４】
0003588238.tif 000015
【図１５】
0003588238.tif 000016
【図１６】
0003588238.tif 000017
【図１７】
0003588238.tif 000018
【図１８】
0003588238.tif 000019
【図１９】
0003588238.tif 000020
【図２０】
0003588238.tif 000021
【図２１】
0003588238.tif 000022
【図２２】
0003588238.tif 000023
【図２３】
0003588238.tif 000024
【図２４】
0003588238.tif 000025